(57)【要約】【課題】カメラの電源を固定電圧とし、アクセサリー毎に降圧回路や昇圧回路を設ける方法では、アクセサリーの大型化等を招く。【解決手段】カメラ１に、互いに異なる複数の電源電圧を供給可能な電源供給手段１２，１３を設けるとともに、この電源供給手段から供給される互いに異なる電源電圧ごとに、かつアクセサリー装着部における互いに異なる位置に複数の電源接続端子９ｆ，９ｇを設ける。アクセサリー２には、複数の電源接続端子のうち該アクセサリーの動作電圧に対応する電源電圧が供給される電源接続端子にのみ接続される位置に電源入力端子９ｆを設ける。【選択図】　　図１
2004117380.tif 000002
【特許請求の範囲】
【請求項１】
アクセサリー装着部を有するカメラと、前記アクセサリー装着部に選択的に装着され、互いに異なる動作電圧を持つ複数のアクセサリーとを含むカメラシステムであって、
前記カメラは、
互いに異なる複数の電源電圧を供給可能な電源供給手段と、
前記電源供給手段から供給される互いに異なる電源電圧ごとに設けられ、前記アクセサリー装着部における互いに異なる位置に設けられた複数の電源接続端子とを有し、
前記複数のアクセサリーはそれぞれ、
前記アクセサリー装着部に装着されたときに、前記複数の電源接続端子のうちそれぞれのアクセサリーの動作電圧に対応する電源電圧が供給される電源接続端子にのみ接続される位置に電源入力端子を有することを特徴とするカメラシステム。
【請求項２】
前記アクセサリーは交換レンズであり、
前記カメラにおいて、前記複数の電源接続端子は前記交換レンズが装着されるカメラ側マウント部に設けられ、
前記交換レンズにおいて、前記電源入力端子は前記カメラに装着されるレンズ側マウント部に設けられていることを特徴とする請求項１に記載のカメラシステム。
【請求項３】
前記カメラとこのカメラに装着された前記アクセサリーとの間での通信が可能であり、
前記各アクセサリーは、前記カメラに装着されたときにそれぞれのアクセサリーの動作電圧を表す情報を前記カメラに送信する情報送信手段を有し、
前記カメラは、前記動作電圧を表す情報に応じて、前記電源供給手段から該動作電圧に対応する電源電圧のみを該電源電圧に対応する前記電源接続端子に供給させる電源制御手段を有することを特徴とする請求項１又は２に記載のカメラシステム。
【請求項４】
アクセサリー装着部を有するカメラであり、前記アクセサリー装着部に、互いに異なる動作電圧を持つ複数のアクセサリーが装着可能なカメラであって、
互いに異なる複数の電源電圧を供給可能な電源供給手段と、
前記電源供給手段から供給される互いに異なる電源電圧ごとに設けられ、前記アクセサリー装着部における互いに異なる位置に設けられた複数の電源接続端子とを有することを特徴とするカメラ。
【請求項５】
前記複数の電源接続端子は、アクセサリーとしての交換レンズが装着されるカメラ側マウント部に設けられていることを特徴とする請求項１に記載のカメラ。
【請求項６】
装着された前記アクセサリーとの間での通信が可能であり、
前記装着されたアクセサリーから受信した、該アクセサリーの動作電圧を表す情報に応じて前記電源供給手段から該動作電圧に対応する電源電圧のみを該電源電圧に対応する前記電源接続端子に供給させる電源制御手段を有することを特徴とする請求項４又は５に記載のカメラ。
【請求項７】
互いに異なる複数の電源電圧を供給可能な電源供給手段と、前記電源供給手段から供給される互いに異なる電源電圧ごとに設けられた複数の電源接続端子が、アクセサリー装着部における互いに異なる位置に設けられたカメラに対して着脱可能に装着されるアクセサリーであって、
前記アクセサリー装着部に装着されたときに、前記カメラ側の複数の電源接続端子のうちこのアクセサリーの動作電圧に対応する電源電圧が供給される電源接続端子にのみ接続される位置に電源入力端子が設けられていることを特徴とするアクセサリー。
【請求項８】
交換レンズとしてのアクセサリーであって、
前記交換レンズにおいて、前記電源入力端子は前記カメラに装着されるレンズ側マウント部に設けられていることを特徴とする請求項７に記載のアクセサリー。
【発明の詳細な説明】
【０００１】
【発明の属する技術分野】
本発明は、カメラと交換レンズ等のアクセサリーとを含むカメラシステムに関するものである。
【０００２】
【従来の技術】
レンズ交換式カメラシステムにおいて、交換レンズには、オートフォーカス機能やズーム機能等の各種アクチュエータ駆動機構やその駆動・制御回路が搭載され、また、カメラ側にも各種電気回路、制御回路が搭載されている。そして、カメラとレンズとを連結するためのマウント部には、カメラ内の制御回路と交換レンズ内の制御回路との間での通信を可能とする通信端子や、カメラ側に搭載された電源回路からの電源を交換レンズ側に供給するための電源端子等の電気接続端子が設けられている。
【０００３】
このようなシステムにおいては、電気接続端子の接触不良が問題となる。この問題に対し、特許文献１にて提案されている接続確認方法がある。この方法は、交換レンズをカメラに装着した際に、まずカメラとレンズとの通信を行い、通信端子同士が正常に接続されたことを確認した上で、電源端子に電源を供給するというものである。
【０００４】
また、カメラシステムにおいてカメラに装着されるレンズは焦点距離等の光学仕様により多種多様である。そして、レンズの動作電圧（電源電圧）も内蔵されているアクチュエータの種類や数等に応じて様々である。従来、レンズ内臓のアクチュエータは動作電圧を６Ｖと想定して設計されているが、昨今の交換レンズの小型化やモータの低消費電力化等により、例えば動作電圧が３Ｖとなることも想定される。
【０００５】
このように、必要な動作電圧（電源電圧）が異なる複数の交換レンズを１つのカメラに装着可能とするための手段として、カメラの電源を固定電圧とし、交換レンズ毎に降圧回路や昇圧回路を設ける方法がある。また、特許文献２には、カメラ側の１つの電源接続端子に複数の出力電圧を切り換えて供給することが可能な構成とし、装着された交換レンズの機種等を所定の電気接続端子の状態によって判別し、電源接続端子への出力電圧を決定する方法が提案されている。
【０００６】
【特許文献１】
特公平４−４８３７４号公報
【特許文献２】
特開平８−１１０５６１号公報
【０００７】
【発明が解決しようとする課題】
しかしながら、前述したカメラの電源を固定電圧とし、交換レンズ毎に降圧回路や昇圧回路を設ける方法では、各交換レンズの高価格化や大型化を招くという問題がある。
【０００８】
また、特許文献２にて提案の方法では、交換レンズを判別するための所定の電気接続端子自体が接続不良となった場合、交換レンズの判別ができないか、判別を誤って電源接続端子に交換レンズの動作電圧とは異なる電源電圧が供給され、交換レンズが動作しない等の問題が発生するおそれがある。
【０００９】
そこで本発明は、動作電圧が互いに異なるアクセサリーをカメラに装着可能とし、カメラに装着されたアクセサリーに確実に適正電圧の電源を供給できるようにしたカメラシステムを提供することを目的とする。
【００１０】
【課題を解決するための手段】
上記の目的を達成するために、本発明では、アクセサリー装着部を有するカメラと、このアクセサリー装着部に選択的に装着され、互いに異なる動作電圧を持つ複数のアクセサリーとを含むカメラシステムにおいて、カメラには、互いに異なる複数の電源電圧を供給可能な電源供給手段を設けるとともに、この電源供給手段から供給される互いに異なる電源電圧ごとに、かつアクセサリー装着部における互いに異なる位置に複数の電源接続端子を設ける。
【００１１】
そして、複数のアクセサリーにはそれぞれ、アクセサリー装着部に装着されたときに複数の電源接続端子のうちそれぞれのアクセサリーの動作電圧に対応する電源電圧が供給される電源接続端子にのみ接続される位置に電源入力端子を設ける。
【００１２】
これにより、アクセサリーをカメラに装着した際に、そのアクセサリーの電源入力端子は、該アクセサリーの動作電圧に対応した電源電圧が供給されているカメラ側の電源接続端子にしか接続しない。このため、動作電圧が互いに異なるアクセサリーをカメラに装着することが可能であり、しかもアクセサリーの大型化等を招くことなく、カメラに装着されたアクセサリーに確実に必要な動作電圧の電源を供給できるようにしたカメラシステムを実現することが可能となる。
【００１３】
なお、カメラとこのカメラに装着されたアクセサリーとの間での通信が可能である場合において、各アクセサリーには、カメラに装着されたときに、それぞれのアクセサリーの動作電圧を表す情報をカメラに送信する情報送信手段を設け、カメラには、上記動作電圧を表す情報に応じて、電源供給手段から該動作電圧に対応する電源電圧のみを該電源電圧に対応する電源接続端子に供給させる電源制御手段を設けるようにしてもよい。
【００１４】
本発明にいうアクセサリーとしては、カメラに対して着脱可能な交換レンズ等がある。
【００１５】
【発明の実施の形態】
（第１実施形態）
図１には、本発明の第１実施形態であるレンズ交換式カメラシステムの構成を示している。図１中において、１はデジタルカメラ、２はカメラ側マウント部（アクセサリー装着部）９に対して係合可能なレンズ側マウント部２０を備え、このマウント部２０を介してカメラ１に着脱可能に装着される交換レンズである。
【００１６】
なお、図１には示していないが、本カメラシステムは、交換レンズ２と共通したレンズ側マウント部を備えてカメラ１に対して選択的に装着でき、かつ互いに動作電圧（電源電圧）が異なる複数の交換レンズが含まれている。
【００１７】
まず、カメラ１側の構成について説明する。３はカメラ側電気回路である。このカメラ側電気回路部３は、交換レンズ２を通ってきた光の量（被写体の明るさ）を測定するための測光部４と、交換レンズ２内の撮影光学系の焦点調節状態を検出する焦点検出部５と、撮影光学系により形成された被写体像を光電変換して撮像を行うためのＣＣＤやＣＭＯＳセンサ等からなる撮像素子７と、撮像素子７の露光時間（電荷蓄積時間）を制御するシャッター６と、これらの各回路の制御を司るカメラＣＰＵ８とを有している。
【００１８】
カメラ側マウント部９には、交換レンズ２側の電気接続端子（これについては後述する）と電気的に接続するための電気接続端子９ａ〜９ｈが設けられている。また、カメラ側マウント部９には、レンズ装着検出スイッチ９ｉが設けられている。
【００１９】
電気接続端子９ａ〜９ｈのうち、９ａ〜９ｃは交換レンズ２とシリアル通信を行うための通信端子であり、９ｄ，９ｅは交換レンズ２に制御系電源を供給するための制御系電源接続端子である。また、９ｆ〜９ｈは交換レンズ２に駆動系電源を供給するための駆動系電源接続端子である。これら接続端子９ａ〜９ｈは、カメラ側マウント部９における互いに異なる位置（マウント部９の周方向にて異なる位置）に配置されている。なお、制御系電源接続端子９ｄ，９ｅおよび駆動系電源接続端子９ｆ〜９ｈのうち、９ｅと９ｈはグランド端子である。
【００２０】
レンズ装着検出スイッチ９ｉは、２つのスイッチ片を有して構成されている。スイッチ片の一方は、後述する所定の定電圧を出力する制御系電源生成回路１１の出力端子に接続されており、他方はカメラＣＰＵ８に接続されると共に抵抗素子を介して後述する電源電池１０の−極にプルダウン接続されている。
【００２１】
また、レンズ装着検出スイッチ９ｉは、交換レンズ２が装着されていない状態では、２つのスイッチ片が離れた状態になる構成を有し、交換レンズ２が装着されることによってカメラＣＰＵ８に接続された側のスイッチ片はＧＮＤレベルとなる。さらに、交換レンズ２が装着された状態では、２つのスイッチ片が互いに接触する。これにより、カメラＣＰＵ８に接続されたスイッチ片は制御系電源生成回路１１の出力レベルとなる。
【００２２】
また、制御系電源生成回路１１は、電源電池１０に接続されており、カメラ側電気回路３および制御系電源接続端子９ｄ（，９ｅ）を介して交換レンズ２側の制御系回路２１に所定の定電圧を供給する。
【００２３】
１２は第１の駆動系電源生成回路（図には駆動系電源生成回路１として示す）であり、電源電池１０に接続されて、駆動系電源接続端子９ｆ（，９ｈ）を介して交換レンズ２側の駆動系回路２３に、駆動系の動作電圧として第１のレベルの定電圧を供給する。本実施形態のカメラシステムでは、特にこの駆動系の動作電圧が互いに異なる複数の交換レンズを含むものである。なお、本実施形態では、第１の駆動系電源生成回路１２から駆動系電源接続端子９ｆに供給される定電圧は６Ｖとする。
【００２４】
１３は第２の駆動系電源生成回路（図には駆動系電源生成回路２として示す）であり、電源電池１０に接続されて、駆動系電源接続端子９ｇ（，９ｈ）を介して交換レンズ２側の駆動系回路２３に、駆動系の動作電圧として第２のレベルの定電圧を供給する。本実施形態では、第２の駆動系電源生成回路１３から３Ｖの定電圧を供給するものとする。
【００２５】
次に、交換レンズ２側の構成について説明する。１４はフォーカシングレンズ、１５はズーミングレンズ、１６は絞りである。これらによって撮影光学系が構成される。
【００２６】
１７はズーミングレンズ１５の位置を検出するためのズーム位置検出用ブラシ、１８はフォーカシングレンズ１４の位置を検出するためのフォーカス位置検出用ブラシ、１９はオートフォーカスとマニュアルフォーカスを切換えるためのＡ／Ｍスイッチである。
【００２７】
レンズ側マウント部２０には、電気接続端子２０ａ〜２０ｆ，２０ｈが互いに位置が異なるように設けられている。電気接続端子２０ａ〜２０ｈのうち、２０ａ〜２０ｃはカメラ２とシリアル通信を行うための通信端子であり、この交換レンズ２がカメラ１に対して適正に装着された状態で、カメラ１側の通信端子９ａ〜９ｃに対向し、かつ接触する。
【００２８】
また、２０ｄ，２０ｅはカメラ１から制御系電源の供給を受ける制御系電源入力端子であり、この交換レンズ２がカメラ１に対して適正に装着された状態で、カメラ１側の制御系電源接続端子９ｄ〜９ｅに対向し、かつ接触する。
【００２９】
また、２０ｆ，２０ｈはカメラ１から駆動系電源の供給を受けるための駆動系電源入力端子であり、この交換レンズ２がカメラ１に対して適正に装着された状態で、カメラ１側の駆動系電源接続端子９ｆ〜９ｈに対向し、かつ接触する。
【００３０】
なお、制御系電源入力端子２０ｄ，２０ｅおよび駆動系電源入力端子２０ｆ，２０ｈのうち、２０ｅと２０ｈはグランド端子である。
【００３１】
ここで、図１に示す交換レンズ２は、駆動系電源（動作電圧）として６Ｖを用いる仕様になっている。このため、カメラ１側に設けられた３Ｖ供給用の駆動系電源接続端子９ｇに対応する駆動系電源入力端子９ｇは図１に示す交換レンズ２には設けられていない。そして、駆動系電源入力端子９ｇと駆動系電源入力端子２０ｆおよび駆動系電源入力端子９ｆと駆動系電源入力端子２０ｇとは、交換レンズ２がカメラ１に対して適正に装着された状態ではマウント周方向等において機械的位置が異なるため、接触することはない。
【００３２】
交換レンズ２内の制御系回路２１には、交換レンズ２内の各回路の制御を司るレンズＣＰＵ２２が設けられている。また、交換レンズ２内の駆動系回路２３には、絞り１６を駆動する絞り駆動モータ２６に駆動信号を供給するための絞り駆動回路２４と、フォーカシングレンズ１４を駆動するフォーカス駆動モータ２８に駆動信号を供給するフォーカス駆動回路２５とが設けられている。
【００３３】
２７はフォーカシングレンズ１４の移動に伴ってパルス信号を出力するパルス発生器である。このパルス発生器２７からの出力信号は、レンズＣＰＵ２２に入力され、フォーカシングレンズ１４の精密な位置制御および速度制御のために使用される。
【００３４】
次に、本実施形態のカメラシステムにおける電源供給動作について説明する。
【００３５】
＜カメラ１に交換レンズ２が装着されていない場合＞
カメラ１に交換レンズ２が装着されていない場合は、レンズ側マウント部２０はカメラ側マウント部９から離れているため、両者の電気接続端子９ａ〜９ｈ，２０ａ〜２０ｈは接触していない。また、カメラ側マウント部９中のレンズ検出スイッチ９ｉでは、その２つのスイッチ片が離れた状態にある。したがって、前述した通り、カメラＣＰＵ８に接続されたスイッチ片の一方はＧＮＤレベルとなる。この結果、カメラＣＰＵ８は、交換レンズ２が装着されていないと判断し、第１の駆動系電源生成回路１２および第２の駆動系電源生成回路１３の出力をＯＦＦとする。
【００３６】
＜カメラ１に交換レンズ２が装着された場合＞
カメラ１に交換レンズ２が装着された場合、両者の電気接続端子９ａ〜９ｈ，２０ａ〜２０ｈは相互に接触し、さらにカメラ側マウント部９中のレンズ検出スイッチ９ｉでは、その２つのスイッチ片は接触した状態となり、前述した通り、カメラＣＰＵ８に接続されたスイッチ片の一方は制御系電源生成回路１１の出力レベルとなる。
【００３７】
以下、カメラ１に交換レンズ２が装着された場合のカメラＣＰＵ８の動作を、図２に示すフローチャートを用いて説明する。
【００３８】
「ＳＴＥＰ１」
カメラＣＰＵ８は、交換レンズ２が装着されたか否かの判別を行うために、レンズ検出スイッチ９ｉのスイッチ片のレベルを検出する。該スイッチ片のレベルがＧＮＤレベルである場合は、交換レンズ２が装着されていないものとしてＳＴＥＰ１を所定の時間毎に繰り返す。また、該スイッチ片のレベルが制御系電源生成回路１１の出力レベルである場合は、交換レンズ２が装着されたものとしてＳＴＥＰ２に進む。
【００３９】
「ＳＴＥＰ２」
カメラＣＰＵ８は、通信続端子９ａ〜９ｃ，２０ａ〜２０ｃを介してレンズＣＰＵ２２とシリアル通信を行い、電気的接続状況を確認する。接続の確認ができた場合にはＳＴＥＰ３に進み、できない場合は再度シリアル通信を行って、電気的接続を再確認する。
【００４０】
ここで、電気的接続を確認するためシリアル通信としては、例えばカメラＣＰＵ８から接続を確認するためのコマンドデータＡを送信し、レンズＣＰＵ２２がコマンドデータＡを確認して所定のデータＢを送信すると、カメラＣＰＵ８はこの所定のデータＢを受信することで交換レンズ２との接続確認を行う。また、レンズＣＰＵ２２はコマンドデータＡを受信することでカメラ１との接続の確認を行う。
【００４１】
「ＳＴＥＰ３」
カメラＣＰＵ８は、レンズＣＰＵ２２とシリアル通信を行い、有効な駆動系電源接続端子を確認し、ＳＴＥＰ４に進む。例えば、カメラＣＰＵ８から有効な駆動系電源接続端子を確認ためのコマンドデータＣを送信し、レンズＣＰＵ２２がコマンドデータＣを確認して、有効な駆動系電源接続端子を指示する所定のデータＤを送信する。所定のデータＤとしては、例えば図１中に示した駆動系電源が６Ｖ仕様の交換レンズ２であって、対応する駆動系電源接続端子および入力端子が９ｆ，２０ｆであれば「０１」とし、図１に示した交換レンズとは異なり、駆動系電源が３Ｖ仕様の交換レンズであって、対応する駆動系電源接続端子および入力端子が９ｇ，２０ｇであれば「０２」とする。
【００４２】
「ＳＴＥＰ４」
カメラＣＰＵ８は、ＳＴＥＰ３にてレンズＣＰＵ２２から受信したデータＤに基づいて、第１の駆動系電源生成回路１２および第２の駆動系電源生成回路１３のうちいずれを動作させるかを判断する。データＤが「０１」である場合はＳＴＥＰ５に進み、「０２」である場合はＳＴＥＰ６に進む。データＤが「０１」および「０２」でない場合は、ＳＴＥＰ３において有効な駆動系電源接続端子を確認する通信に失敗したとしてＳＴＥＰ３に戻る。なお、図２に点線で示したように、ＳＴＥＰ２に戻って、再度、電気的接続を確認するようにしてもよい。
【００４３】
「ＳＴＥＰ５」
カメラＣＰＵ８は、第１の駆動系電源生成回路１２を動作させ、交換レンズ２側の駆動系回路２３に駆動系電源接続端子９ｆおよび入力端子２０ｆを介して、第１のレベルの定電圧（６Ｖ）を供給する。
【００４４】
「ＳＴＥＰ６」
カメラＣＰＵ８は、第２の駆動系電源生成回路１３を動作させ、図示しない交換レンズ側の駆動系回路に駆動系電源接続端子９ｇおよび入力端子２０ｇを介して、第２のレベルの定電圧（３Ｖ）を供給する。
【００４５】
以上説明したように、本実施形態では、カメラと、カメラに対して着脱可能な交換レンズとから構成したカメラシステムにおいて、カメラに複数の電圧レベルの駆動系電源生成回路を設け、各駆動系電源生成回路の出力を、電源電圧ごとに位置を異ならせた駆動系電源接続端子および駆動系電源入力端子の組を介して交換レンズに供給するように構成しているので、装着された交換レンズに必要な動作電圧と異なる電源電圧が供給されてしまうことがない。
【００４６】
さらに、交換レンズにおいて必要な駆動系電源電圧をカメラにおいてデータ通信により判別し、該駆動系電源電圧を生成する駆動系電源生成回路のみを動作させるようにしているので、カメラの省電力化に有効である。
【００４７】
これらにより、交換レンズの高価格化や大型化を招くことなく、また誤って異なる電源電圧がカメラから交換レンズに供給されることのないカメラシステムを実現することができる。
【００４８】
（第２実施形態）
上記第１実施形態では、異なる駆動系電源電圧をそれぞれ生成する駆動系電源生成回路１２１３を別々に設けた場合について説明したが、図３に示すように、カメラ１に出力電圧を可変設定できる駆動系電源生成回路３１を設け、この駆動系電源生成回路３１からの電源電圧の供給先（駆動系電源接続端子９ｆ，９ｇ）を、設定された電源電圧に応じて、スイッチング素子３２，３３により切り換えるようにしてもよい。
【００４９】
なお、本実施形態のカメラシステムにおける他の構成は、第１実施形態と同じである。
【００５０】
また、上記各実施形態では、アクセサリーとしてのレンズをカメラに対して交換が可能としたカメラシステムについて説明したが、ストロボ装置等、他のアクセサリーの交換が可能なカメラシステムにも本発明を適用することができる。
【００５１】
【発明の効果】
以上説明したように、本発明によれば、動作電圧が互いに異なるアクセサリーをカメラに装着することが可能であり、しかもアクセサリーの大型化等を招くことなく、カメラに装着されたアクセサリーに確実に必要な動作電圧の電源を供給できるようにしたカメラシステムを実現することができる。
【図面の簡単な説明】
【図１】本発明の第１実施形態であるカメラシステムの構成を示すブロック図である。
【図２】上記カメラシステムの電源供給動作を示すフローチャートである。
【図３】本発明の第２実施形態であるカメラシステムの構成を示すブロック図である。
【符号の説明】
１　　カメラ
２　　交換レンズ
８　　カメラＣＰＵ
９　　カメラ側マウント部
１０　　電源
１１　　制御系電源生成回路
１２　　第１の駆動系電源生成回路
１３　　第２の駆動系電源生成回路
２０　　レンズ側マウント部
２１　　制御系回路
２２　　レンズＣＰＵ
２３　　駆動系回路
【図１】
2004117380.tif 000003
【図２】
2004117380.tif 000004
【図３】
2004117380.tif 000005